(57)【要約】【課題】医用画像情報の受信側の医用情報装置のデータ処理の仕様を基に、該医用情報装置の処理に必要な情報を自動的に取得し送信する医用通信管理装置を提供する。【解決手段】医用情報端末が実施するサービスを選択するサービス選択部１０２と、医用情報端末００２のデータ処理仕様を取得するデータ処理仕様取得部１０１と、データ処理仕様を基に医用情報端末００２が利用する入力項目を識別する入力項目識別部１０４と、入力項目に対応する項目内容を入力するための入力画面を表示部に表示させ、その後その入力を受け付ける表示制御部１０９と、入力を受けた項目内容の情報を画像データとともに医用情報装置に出力する出力部１０７とを備える。【選択図】図１
2010178987.tif 000002
【特許請求の範囲】
【請求項１】
ネットワークを介して接続されている外部の医用情報装置のサービスに供給するために指定された医用画像及び該医用画像に関連する患者情報や検査情報を含む付帯情報を含む画像データを出力する医用通信管理装置であって、
前記画像データを管理する画像データ管理手段と、
前記医用情報装置の識別情報と該医用情報装置が実施するサービスとの対応を表したサービス識別情報を記憶しているサービス記憶手段と、
前記医用情報装置の識別情報の入力を受けて前記サービス識別情報を参照し、該医用情報装置が実施するサービスを選択するサービス選択手段と、
前記選択したサービスで該医用情報装置が使用するデータを指定したデータ処理仕様を該医用情報装置から取得するデータ処理仕様取得手段と、
前記データ処理仕様で指定されるデータと患者情報及び検査情報などを含む入力画面の入力項目との対応関係を表すデータ入力項目対応情報を予め記憶している項目対応情報記憶手段と、
前記取得したデータ処理仕様を基に前記データ入力項目対応情報を参照し、前記医用情報装置が利用するデータに対応する入力項目を取得する入力項目識別手段と、
前記取得された入力項目に該当する項目内容を入力するための入力画面を表示部に表示させ、その後該項目内容を受け付ける表示制御手段と、
前記入力を受けた入力項目の項目内容を前記画像データとともに前記医用情報装置に出力する出力手段と、
を備えることを特徴とする医用通信管理装置。
【請求項２】
患者の生年月日やＩＤなどの項目とそれに対応する情報で構成される検査オーダ情報を記憶しているオーダ情報記憶手段と、
前記オーダ情報記憶手段を検索し前記識別された入力項目に該当する項目があった場合は該項目に対応する情報を取得し、前記項目内容として前記表示制御手段及び前記出力手段へ出力する情報取得手段と、
を備えることを特徴とする請求項１の医用通信管理装置。
【請求項３】
前記表示制御手段は、
前記項目内容を入力するための入力画面のフォーマットを記憶しているフォーマット記憶手段と、
前記フォーマットを基に、前記取得した入力項目に対応する情報が前記オーダ情報記憶手段に存在しない項目を前記入力画面の必須の入力項目として前記入力画面を表示部に表示させる入力画面表示手段と、
を備えることを特徴とする請求項２に記載の医用通信管理装置。
【請求項４】
前記必須項目のうち前記検査オーダ情報に対応する情報が存在しない項目が存在した場合に警告を通知する警告手段をさらに備えたことを特徴とする請求項２乃至請求項３に記載の医用通信管理装置。
【請求項５】
前記入力項目のうち対応する情報が前記検査オーダ情報に存在しない項目を抽出し、前記検査オーダ情報の入力時に前記抽出した項目を入力必須項目として表示させるオーダ情報入力制御手段をさらに備えたことを特徴とする請求項２乃至請求項４のいずれか一つに記載の医用通信管理装置。
【請求項６】
ワークステーションなどの医用情報装置及び患者の生年月日やＩＤなどの項目とそれに対応する情報で構成される検査オーダ情報を予め記憶している外部のオーダ情報記憶装置とにネットワークを介して相互に接続されており、前記医用情報装置のサービスに供給するために指定された医用画像及び該医用画像に関連する患者情報や検査情報を含む付帯情報を含む画像データを出力する医用画像診断装置であって、
前記画像データを管理する画像データ管理手段と、
前記医用情報装置の識別情報と該医用情報装置が実施するサービスとの対応を表したサービス識別情報を記憶しているサービス記憶手段と、
前記医用情報装置の識別情報の入力を受けて前記サービス識別情報を参照し、該医用情報装置が実施するサービスを選択するサービス選択手段と、
前記選択したサービスで該医用情報装置が使用するデータを指定したデータ処理仕様を該医用情報装置から取得するデータ処理仕様取得手段と、
前記データ処理仕様で指定されるデータと患者情報及び検査情報を含む入力画面の入力項目との対応関係を表すデータ入力項目対応情報を予め記憶している項目対応情報記憶手段と、
前記取得したデータ処理仕様を基に前記データ入力項目対応情報を参照し、前記医用情報装置が利用するデータに対応する入力項目を取得する入力項目識別手段と、
前記オーダ情報記憶装置を検索し前記取得された入力項目に該当する項目に対応する情報を取得する情報取得手段と、
前記取得された入力項目のうち対応する情報が前記オーダ情報記憶手段に存在しない項目の項目内容を入力するための入力画面を表示部に表示させ、その後その項目内容を受け付ける表示制御手段と、
前記オーダ情報記憶装置から取得した項目の情報及び前記入力を受けた項目内容を前記画像データとともに前記医用情報装置に出力する出力手段と、
を備えることを特徴とする医用画像診断装置。
【請求項７】
前記オーダ情報記憶装置から検査オーダ情報に登録する項目の通知要求を受けて、前記入力項目のうち対応する情報が前記オーダ情報記憶装置に存在しない項目を加えて前記登録する項目を通知する情報項目通知手段をさらに備えたことを特徴とする請求項６に記載の医用画像診断装置。
【請求項８】
ワークステーションなどの医用情報装置、患者の生年月日やＩＤなどの項目とそれに対応する情報で構成される検査オーダ情報を予め記憶しているオーダ情報記憶装置、及び前記医用情報装置のサービスに供給するために指定された医用画像及び該医用画像に関連する患者情報や検査情報を含む付帯情報を含む画像データを出力する医用画像診断装置が相互に接続されている医療画像管理システムであって、
前記医用画像診断装置は、
前記画像データを管理する画像データ管理手段と、
前記医用情報装置の識別情報と該医用情報装置が実施するサービスとの対応を表したサービス識別情報を記憶しているサービス記憶手段と、
前記医用情報装置の識別情報の入力を受けて前記サービス識別情報を参照し、該医用情報装置が実施するサービスを選択するサービス選択手段と、
前記選択したサービスで該医用情報装置が使用するデータを指定したデータ処理仕様を該医用情報装置から取得するデータ処理仕様取得手段と、
前記データ処理仕様で指定されるデータと患者情報及び検査情報などを含む入力画面の入力項目との対応関係を表すデータ入力項目対応情報を予め記憶している項目対応情報記憶手段と、
前記取得したデータ処理仕様を基に前記データ入力項目対応情報を参照し、前記医用情報装置が利用するデータに対応する入力項目を取得する入力項目識別手段と、
前記取得した入力項目を基に前記オーダ情報記憶装置を検索し、該入力項目に対応する情報を取得する情報取得手段と、
前記取得された入力項目のうち前記オーダ情報記憶装置に対応する項目内容が存在しない入力項目を入力するための入力画面を表示部に表示させ、その後該項目内容を受け付ける表示制御手段と、
前記オーダ情報記憶装置から取得した前記入力項目の項目内容及び前記入力を受けた入力項目の項目内容を前記画像データとともに前記医用情報装置に出力する出力手段と、
を備えることを特徴とする医用通信管理システム。
【請求項９】
ワークステーションなどの医用情報装置、患者の生年月日やＩＤなどの項目とそれに対応する情報で構成される検査オーダ情報を予め記憶しているオーダ情報記憶装置、及び前記医用情報装置のサービスに供給するために指定された医用画像及び該医用画像に関連する患者情報や検査情報を含む付帯情報を含む画像データを出力する医用画像診断装置が相互に接続されている医用通信管理システムであって、
前記医用画像診断装置は、
前記画像データを管理する画像データ管理手段と、
前記医用情報装置の識別情報と該医用情報装置が実施するサービスとの対応を表したサービス識別情報を記憶しているサービス記憶手段と、
前記医用情報装置の識別情報の入力を受けて前記サービス識別情報を参照し、該医用情報装置が実施するサービスを選択するサービス選択手段と、
前記選択したサービスで該医用情報装置が使用するデータを指定したデータ処理仕様を該医用情報装置から取得するデータ処理仕様取得手段と、
前記データ処理仕様で指定されるデータと患者情報及び検査情報を含む入力画面の入力項目との対応関係を表すデータ入力項目対応情報を予め記憶している項目対応情報記憶手段と、
前記取得したデータ処理仕様を基に前記データ入力項目対応情報を参照し、前記通信を行う医用情報装置が利用するデータに対応する入力項目を取得する入力項目識別手段と、
前記オーダ情報記憶装置を検索し前記取得された入力項目に該当する項目に対応する情報があった場合には該項目に対応する情報を取得する情報取得手段と、
前記入力項目のうち対応する情報が前記オーダ情報記憶手段に存在しない項目の項目内容を入力するための入力画面を表示部に表示させ、その後その入力内容を受け付ける表示制御手段と、
前記オーダ情報記憶装置から取得した項目の情報及び前記入力を受けた項目内容を前記画像データとともに前記医用情報装置に出力する出力手段と、
前記オーダ情報記憶装置から検査オーダ情報に登録する項目の通知要求を受けて、前記入力項目のうち対応する情報が前記オーダ情報記憶装置に存在しない項目を加えて前記登録する項目を通知する項目通知手段とを備え、
前記オーダ情報記憶装置は、
前記医用画像診断装置から検査オーダ情報に登録する項目を取得する項目取得手段と、
前記取得した項目を入力項目として含む検査オーダ情報の入力画面を表示手段に表示させる検査オーダ入力画面表示制御手段と、
入力を受けて検査オーダ情報を記憶するオーダ情報記憶手段と、
前記医用画像診断装置からの前記入力項目の通知要求を基に前記オーダ情報記憶手段を検索し、前記入力項目に該当する項目に対応する情報を前記医用画像診断装置へ供給する情報供給手段と、
を備えることを特徴とする医用通信管理システム。
【発明の詳細な説明】
【技術分野】
【０００１】
本発明は、ネットワーク等に接続された各種医用画像診断装置や医用画像管理システム間における医用画像などの送受信の設定を行う医用通信管理装置、医用画像診断装置、及び医用通信管理システムに関する。特に、情報の送受信を行う装置毎に画像データの構成を決定する医用通信管理装置に関する。
【背景技術】
【０００２】
近年、医用分野においてＸ線診断装置、Ｘ線ＣＴ装置、磁気共鳴イメージング（ＭＲＩ）装置、超音波診断装置など、被検体の内部を撮像して画像を生成し診断に供する医用画像診断装置が多く用いられてきている。これら医用画像診断装置は、疾病の診断や治療方針の策定、及び経過観察などに用いられている。これら医用画像診断装置により作成された医用画像は、各医用画像に対応する付帯情報とともに画像サーバ装置に保存される。以下では、医用画像とその医用画像に付帯する付帯情報とを含めて医用画像データという。
【０００３】
これら保管された医用画像情報は、必要に応じて迅速に読みだして診断などに供するように、画像サーバ装置で集中的に保管して管理されている。そして、大量の医用画像情報を有する医療施設ではネットワーク化が進み、各種医用画像装置、画像サーバ装置、診断用ワークステーション、及び、プリンタといったイメージャ装置などの医用情報装置をネットワークに接続することにより、このネットワークを介して医用画像情報の送受信を行えるようにしている。具体的には、医用画像診断装置で収集した医用画像を画像サーバ装置に付帯情報とともに直接保存したり、種々の診療科等での要求に応じて、必要な医用画像情報を画像サーバ装置から読みだして、診療科に設置されている診断用ワークステーションなどで観察したりしている。また、画像サーバ装置に保管されている医用画像などを、必要に応じてイメージャ装置へ読みだして、Ｘ線フィルムや紙に印刷することも可能である。
【０００４】
このような医用情報システム内においては様々なメーカの医用情報装置が導入されていることが多々ある。そのような場合に異なるメーカで通信用のプロトコルが異なると相互の情報の送受信が困難になる。そこで、様々な医用情報装置が相互に情報の送受信を行えるように、ネットワークプロトコルの標準化が進められている。このプロトコルにはたとえばＤＩＣＯＭ（Ｄｉｇｉｔａｌ  Ｉｍａｇｉｎｇ  ａｎｄ  Ｃｏｍｕｎｉｃａｔｉｏｎｓ  ｉｎ  Ｍｅｄｉｃｉｎｅ）規格などがある。このＤＩＣＯＭは、画像情報、検査情報、患者情報などの、各種診断情報の内容やデータ構造と、それらの診断情報をメッセージとして交換する際の手順、すなわち、画像の保存、取り出し、印刷、問い合わせなどのサービスを要求する手順やインターフェイスなどが定義されている。しかし、これらの標準化されたプロトコルを用いて医用情報装置間の通信を確立した場合にも、送受信する医用情報の内容によっては、医用情報を受け取る側の医用情報装置に受け取った医用情報を処理することができない場合がある。これでは、医用情報の送受信を行っても無駄な通信になってしまう。
【０００５】
そこで従来、所定の医用プロトコルに基づき通信するに際し、通信相手の医用情報機器が実装しているサービスに関する情報を、事前に確実に把握する技術（例えば、特許文献１参照。）が提案されている。
【先行技術文献】
【特許文献】
【０００６】
【特許文献１】特開２００２−２５９２４２号公報
【発明の概要】
【発明が解決しようとする課題】
【０００７】
しかし、特許文献１に記載されている技術では、通信相手となる医用情報機器が実装しているサービスを把握することができるが、受信した医用情報を処理するために必要な情報を受信側の医用情報機器が有しているか否かがわからない。そのため、所定のプロトコルに基づく医用画像のデータの通信処理が正常終了しても、実際に受信した医用画像を表示したり処理したりする上で問題が発生するおそれがある。
【０００８】
この発明は、このような事情に鑑みてなされたもので、医用画像情報の受信側の医用情報装置のデータ処理の仕様を基に、医用画像情報の通信が成功した後に受信側の医用情報装置の処理に必要な情報を自動的に取得し送信する医用通信管理装置を提供することを目的としている。
【課題を解決するための手段】
【０００９】
上記目的を達成するために、請求項１に記載の医用通信管理装置は、ネットワークを介して接続されている外部の医用情報装置のサービスに供給するために指定された医用画像及び該医用画像に関連する患者情報や検査情報を含む付帯情報を含む画像データを出力する医用通信管理装置であって、前記画像データを管理する画像データ管理手段と、前記医用情報装置の識別情報と該医用情報装置が実施するサービスとの対応を表したサービス識別情報を記憶しているサービス記憶手段と、前記医用情報装置の識別情報の入力を受けて前記サービス識別情報を参照し、該医用情報装置が実施するサービスを選択するサービス選択手段と、前記選択したサービスで該医用情報装置が使用するデータを指定したデータ処理仕様を該医用情報装置から取得するデータ処理仕様取得手段と、前記データ処理仕様で指定されるデータと患者情報及び検査情報などを含む入力画面の入力項目との対応関係を表すデータ入力項目対応情報を予め記憶している項目対応情報記憶手段と、前記取得したデータ処理仕様を基に前記データ入力項目対応情報を参照し、前記医用情報装置が利用するデータに対応する入力項目を取得する入力項目識別手段と、前記取得された入力項目に該当する項目内容を入力するための入力画面を表示部に表示させ、その後該項目内容を受け付ける表示制御手段と、前記入力を受けた入力項目の項目内容を前記画像データとともに前記医用情報装置に出力する出力手段と、を備えることを特徴とするものである。
【００１０】
請求項６に記載の医用画像診断装置は、ワークステーションなどの医用情報装置及び患者の生年月日やＩＤなどの項目とそれに対応する情報で構成される検査オーダ情報を予め記憶している外部のオーダ情報記憶装置とにネットワークを介して相互に接続されており、前記医用情報装置のサービスに供給するために指定された医用画像及び該医用画像に関連する患者情報や検査情報を含む付帯情報を含む画像データを出力する医用画像診断装置であって、前記画像データを管理する画像データ管理手段と、前記医用情報装置の識別情報と該医用情報装置が実施するサービスとの対応を表したサービス識別情報を記憶しているサービス記憶手段と、前記医用情報装置の識別情報の入力を受けて前記サービス識別情報を参照し、該医用情報装置が実施するサービスを選択するサービス選択手段と、前記選択したサービスで該医用情報装置が使用するデータを指定したデータ処理仕様を該医用情報装置から取得するデータ処理仕様取得手段と、前記データ処理仕様で指定されるデータと患者情報及び検査情報を含む入力画面の入力項目との対応関係を表すデータ入力項目対応情報を予め記憶している項目対応情報記憶手段と、前記取得したデータ処理仕様を基に前記データ入力項目対応情報を参照し、前記医用情報装置が利用するデータに対応する入力項目を取得する入力項目識別手段と、前記オーダ情報記憶装置を検索し前記取得された入力項目に該当する項目に対応する情報を取得する情報取得手段と、前記取得された入力項目のうち対応する情報が前記オーダ情報記憶手段に存在しない項目の項目内容を入力するための入力画面を表示部に表示させ、その後その項目内容を受け付ける表示制御手段と、前記オーダ情報記憶装置から取得した項目の情報及び前記入力を受けた項目内容を前記画像データとともに前記医用情報装置に出力する出力手段と、を備えることを特徴とするものである。
【００１１】
請求項８に記載の医用通信管理システムは、ワークステーションなどの医用情報装置、患者の生年月日やＩＤなどの項目とそれに対応する情報で構成される検査オーダ情報を予め記憶しているオーダ情報記憶装置、及び前記医用情報装置のサービスに供給するために指定された医用画像及び該医用画像に関連する患者情報や検査情報を含む付帯情報を含む画像データを出力する医用画像診断装置が相互に接続されている医療画像管理システムであって、前記医用画像診断装置は、前記画像データを管理する画像データ管理手段と、前記医用情報装置の識別情報と該医用情報装置が実施するサービスとの対応を表したサービス識別情報を記憶しているサービス記憶手段と、前記医用情報装置の識別情報の入力を受けて前記サービス識別情報を参照し、該医用情報装置が実施するサービスを選択するサービス選択手段と、前記選択したサービスで該医用情報装置が使用するデータを指定したデータ処理仕様を該医用情報装置から取得するデータ処理仕様取得手段と、前記データ処理仕様で指定されるデータと患者情報及び検査情報などを含む入力画面の入力項目との対応関係を表すデータ入力項目対応情報を予め記憶している項目対応情報記憶手段と、前記取得したデータ処理仕様を基に前記データ入力項目対応情報を参照し、前記医用情報装置が利用するデータに対応する入力項目を取得する入力項目識別手段と、前記取得した入力項目を基に前記オーダ情報記憶装置を検索し、該入力項目に対応する情報を取得する情報取得手段と、前記取得された入力項目のうち前記オーダ情報記憶装置に対応する項目内容が存在しない入力項目を入力するための入力画面を表示部に表示させ、その後該項目内容を受け付ける表示制御手段と、前記オーダ情報記憶装置から取得した前記入力項目の項目内容及び前記入力を受けた入力項目の項目内容を前記画像データとともに前記医用情報装置に出力する出力手段と、を備えることを特徴とするものである。
【００１２】
請求項９に記載の医用通信管理システムは、ワークステーションなどの医用情報装置、患者の生年月日やＩＤなどの項目とそれに対応する情報で構成される検査オーダ情報を予め記憶しているオーダ情報記憶装置、及び前記医用情報装置のサービスに供給するために指定された医用画像及び該医用画像に関連する患者情報や検査情報を含む付帯情報を含む画像データを出力する医用画像診断装置が相互に接続されている医療画像管理システムであって、前記医用画像診断装置は、前記画像データを管理する画像データ管理手段と、前記医用情報装置の識別情報と該医用情報装置が実施するサービスとの対応を表したサービス識別情報を記憶しているサービス記憶手段と、前記医用情報装置の識別情報の入力を受けて前記サービス識別情報を参照し、該医用情報装置が実施するサービスを選択するサービス選択手段と、前記選択したサービスで該医用情報装置が使用するデータを指定したデータ処理仕様を該医用情報装置から取得するデータ処理仕様取得手段と、前記データ処理仕様で指定されるデータと患者情報及び検査情報を含む入力画面の入力項目との対応関係を表すデータ入力項目対応情報を予め記憶している項目対応情報記憶手段と、前記取得したデータ処理仕様を基に前記データ入力項目対応情報を参照し、前記通信を行う医用情報装置が利用するデータに対応する入力項目を取得する入力項目識別手段と、前記オーダ情報記憶装置を検索し前記取得された入力項目に該当する項目に対応する情報があった場合には該項目に対応する情報を取得する情報取得手段と、前記入力項目のうち対応する情報が前記オーダ情報記憶手段に存在しない項目の項目内容を入力するための入力画面を表示部に表示させ、その後その入力内容を受け付ける表示制御手段と、前記オーダ情報記憶装置から取得した項目の情報及び前記入力を受けた項目内容を前記画像データとともに前記医用情報装置に出力する出力手段と、前記オーダ情報記憶装置から検査オーダ情報に登録する項目の通知要求を受けて、前記入力項目のうち対応する情報が前記オーダ情報記憶装置に存在しない項目を加えて前記登録する項目を通知する項目通知手段とを備え、前記オーダ情報記憶装置は、前記医用画像診断装置から検査オーダ情報に登録する項目を取得する項目取得手段と、前記取得した項目を入力項目として含む検査オーダ情報の入力画面を表示手段に表示させる検査オーダ入力画面表示制御手段と、入力を受けて検査オーダ情報を記憶するオーダ情報記憶手段と、前記医用画像診断装置からの前記入力項目の通知要求を基に前記オーダ情報記憶手段を検索し、前記入力項目に該当する項目に対応する情報を前記医用画像診断装置へ供給する情報供給手段と、を備えることを特徴とするものである。
【発明の効果】
【００１３】
請求項１に記載の医用通信管理装置、請求項６に記載の医用画像診断装置、並びに請求項８及び請求項９に記載の医用通信管理システムによると、通信相手となる医用情報装置毎にその通信相手の医用情報装置が医用画像情報を処理するうえで必要なデータを取得し送信することができる。これにより、通信相手の医用情報装置による医用画像情報の処理の実行時のデータ不足による障害の発生を軽減することが可能となる。
【図面の簡単な説明】
【００１４】
【図１】本発明に係る医用通信管理装置及び医用通信管理システムのブロック図
【図２】データ処理仕様の一例の図
【図３】データ入力項目対応情報を説明するための図
【図４】最初に情報取得部が有している検査オーダ情報の検索条件を表す表の図
【図５】情報取得部が取得した医用情報端末で実施されるサービスのデータ処理仕様の一例の図
【図６】変更後の検査オーダ情報の検索条件を表す表の図
【図７】（Ａ）最初に記憶されている入力画面のフォーマットに含まれる項目を示す図、（Ｂ）実際に操作者に入力を要求する入力画面に含まれる項目を示す図
【図８】第１の実施形態に係る医用通信管理装置による医用情報端末への画像データの出力のフローチャートの図
【発明を実施するための最良の形態】
【００１５】
〔第１の実施形態〕
以下、この発明の第１の実施形態に係る医用通信管理装置、及び該医用通信管理システムを構成する医用通信管理装置について説明する。図１は本発明に係る医用通信管理装置の機能を表すブロック図である。
【００１６】
本実施形態に係る医用通信管理システムは、医用画像診断装置１００、オーダ情報記憶装置２００、及び医用情報端末００２がネットワークを介して相互に接続されたシステム構成を有している。医用画像診断装置１００、オーダ情報記憶装置２００、及び医用情報端末００２は相互に情報の送受信を行うことが可能である。本発明に係る医用通信管理システムは医用画像管理システム（ＰＡＣＳ：Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）の一部を構成するシステムである。医用画像診断装置１００、オーダ情報記憶装置２００、及び医用情報端末００２は、ネットワーク上でＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｅｃｉｎｅ）規格に基づいた通信を行う。
【００１７】
また、本実施形態に係る医用通信管理装置００１は、医用画像診断装置１００の機能部の一部及びオーダ情報記憶装置２００の機能部の一部により構成される。このオーダ情報記憶装置２００は、ＲＩＳ（Ｒａｄｉｏｌｏｇｙ  Ｉｎｆｏｒｍａｔｉｏｎ  Ｓｙｓｔｅｍ）などで構成してもよい。
【００１８】
医用情報端末００２は、ワークステーションなどの検査処理や画像処理（例えば、医用画像の読影などにおける画像処理）などを行う情報端末である。この医用情報端末００２が本発明における「医用情報装置」にあたる。本実施形態では、説明のためネットワーク上に１台の医用情報端末００２を配置しているが、この医用情報端末００２はネットワーク上に複数台存在してもよい。
【００１９】
医用情報端末００２は、検査処理や画像処理を行うために医用画像診断装置１００に対して画像データの送信要求を送信する。ここで、画像データとは、医用画像、及び患者情報（患者ＩＤ、生年月日など）や検査情報（日付、対象部位など）といった特定の医用画像に関連する付帯情報によって構成されるデータである。この画像データの送信要求を医用画像診断装置１００に送信するとともに、医用画像診断装置１００のサービス選択部１０２へ自己の識別情報を出力する。さらに、医用情報端末００２は、自装置が実施可能なサービス毎にそのサービスで利用するデータが記述されたテーブルであるデータ処理仕様を有している。ここで、「サービス」とは医用画像ネットワークで必要となるさまざまな機能のことであり、ＤＩＣＯＭの場合にはＤＩＣＯＭで規定された機能のことを指す。そして、例えば、図２に示すようなテーブルがデータ処理仕様である。図２はストレージサービスのデータ処理仕様の例である。ストレージサービスでは、「ＣＴ  Ｉｍａｇｅ  Ｓｔｒａｇｅ」や「Ｓｅｃｏｎｄａｒｙ  Ｃａｐｔｕｒｅ  Ｉｍａｇｅ  Ｓｔｏｒａｇｅ」など図２に記載されているデータが使用される。本実施形態では医用情報端末００２がクライアントの場合で説明しているが、例えばサーバの場合ならば、「ＲＴ  Ｉｍａｎｇｅ  Ｓｔｏｒａｇｅ」や「ＲＴ  Ｓｔｒｕｃｔｕｒｅ  Ｓｅｔ  Ｓｔｏｒａｇｅ」などは利用されない。この医用情報端末００２は、本発明における「医用情報装置」にあたる。
【００２０】
一般に、ＤＩＣＯＭ規格に則った通信を行う場合には、通信相手によって送信するデータの内容が変わる。例えば、送信相手によっては、画像データの送信時間を短くするためにプライベートタグを取り除いて送信してほしい等の要求が発生したり、画像データの中の個人情報やプライバシー情報を取り除いて送って欲しいなどの要求が発生したり、画像データの中の個人情報やプライバシー情報を取り除いて送ってほしいなどの要求が発生したりすることがある。上述のサービスを参照することでこのような送信相手の特別な要求にこたえることが可能となる。
【００２１】
医用画像診断装置１００は、図１に示すように、データ処理仕様取得部１０１、サービス選択部１０２、サービス記憶部１０３、入力項目識別部１０４、項目対応情報記憶部１０５、情報取得部１０６、出力部１０７、画像データ管理部１０８、表示制御部１０９、ユーザインタフェース１１２、項目通知部１１５を有している。
【００２２】
サービス記憶部１０３は、各医用情報端末００２の識別情報に対応して、その識別情報を有する医用情報端末００２が実施するサービスの種類が記載されているサービス識別情報を記憶している。このサービス識別情報の具体的な例としては、ＣＴ  Ｉｍａｇｅ、ＭＲ  Ｉｍａｇｅ、ＵＳ  Ｍｕｌｔｉｆｒａｍｅ  Ｉｍａｇｅ等がある。ここで、サービスとはユーザインタフェースを持たないアプリケーションの一つであり、本実施形態では画像データにたいする検査処理や画像処理などを行うためのアプリケーションである。このサービス記憶部１０３が本発明における「サービス記憶手段」にあたる。
【００２３】
サービス選択部１０２は、通信相手となる医用情報端末００２から該医用情報端末００２の識別情報の入力を受ける。以下ではこの識別情報を通信先識別情報という。この識別情報の具体的な例としては、ＡＥ  Ｔｉｔｌｅ、ＨｏｓｔＮａｍａｅ、ＩＰ  Ａｄｒｅｓｓ，Ｍｎｅｍｏｎｉｃ  Ｎａｍｅ等がある。サービス選択部１０２は、入力された通信先識別情報を基にサービス識別情報を検索し、通信相手となる医用情報端末００２が実施するサービスの種類を選択する。サービス選択部１０２は、選択したサービスの種類をデータ処理仕様取得部１０１へ出力する。このサービス選択部１０２が本発明における「サービス選択手段」にあたる。
【００２４】
データ処理仕様取得部１０１は、サービス選択部１０２から通信相手の医用情報端末００２が実施するサービスの種類の入力を受ける。データ処理仕様取得部１０１は、入力されたサービスの種類のデータ処理仕様の取得要求を医用情報端末００２に送信する。ここで、データ処理仕様とは、図３で示すように、医用情報端末００２が特定のサービスを実施するときに必要なデータをサービス毎に示す情報である。このデータ処理仕様の具体的な例としては、ＤＩＣＯＭタグ等がある。ＤＩＣＯＭタグはＤＩＣＯＭデータ要素の属性（内容）を表すものであり、ＤＩＣＯＭデータ要素にはその属性を識別するためのＤＩＣＯＭタグが付けられている。この、ＤＩＣＯＭタグを参照することで、そのデータが、例えば、患者指名を表すデータであるのか、患者識別子を表すデータであるのか、もしくは患者生年月日を表すデータであるのかといったことが判別できる。ここでは、ＤＩＣＯＭタグを例に説明したが、このデータ処理仕様としてはサービスで使用しているデータの内容がわかるものであれば他の情報を用いてもよい。すなわち、このデータ処理仕様を参照することで特定のサービスを実施するために必要となるデータを指定することができる。図３は、データ入力項目対応情報を説明するための図である。そして、データ処理仕様取得部１０１は、医用情報端末００２から入力されたサービスの種類に対応するデータ処理仕様を取得する。データ処理仕様取得部１０１は、取得したデータ処理仕様を入力項目識別部１０４へ出力する。このデータ処理仕様取得部１０１が本発明における「データ処理仕様取得手段」にあたる。
【００２５】
項目対応情報記憶部１０５は、サービスで利用するデータと患者情報や検査情報といった入力項目との対応関係が記載されたテーブルであるデータ入力項目対応情報を記憶している。ここで、入力項目とは、医用情報端末００２が利用するデータとして必要なデータの種類（タイトル）のことを指す。例えば、図３に示すように、データとして「患者名（Ｐａｔｉｅｎｔ‘ｓ  ｎａｍｅ）」や「誕生日（Ｐａｔｉｅｎｔ’ｓ  Ｂｉｒｔｈ  Ｄａｔｅ）」などがある場合、患者名に対応する入力項目は「名字（Ｌａｓｔｎａｍｅ）」「名前（Ｆｉｒsｔ  ｎａｍｅ）」であり、誕生日に対応する入力項目は「年（Ｙｅａｒ）」「月（Ｍｏｎｔｈ）」「日（Ｄａｙ）」である。医用画像診断装置１００が医用情報端末００２に画像データを送信するときに、医用情報端末００２が利用する画像データの入力を受け付けるために、操作者に対しどのような情報が必要とされているかを提示するための項目である。この項目対応情報記憶部１０５が本発明における「項目対応情報記憶手段」にあたる。
【００２６】
入力項目識別部１０４は、データ処理仕様取得部１０１から医用情報端末００２の利用するサービスに対応したデータ処理仕様の入力を受ける。入力項目識別部１０４は、入力されたデータ処理仕様を基に項目対応情報記憶部１０５に記憶されているデータ入力項目対応情報を参照する。入力項目識別部１０４は、データ処理仕様に対応する入力項目を取得する。入力項目識別部１０４は、取得した入力項目を情報取得部１０６へ出力する。この入力項目識別部１０４が本発明における「入力項目識別手段」にあたる。
【００２７】
情報取得部１０６は、入力項目識別部１０４から医用情報端末００２が利用するサービスに対応する入力項目の入力を受ける。また、情報取得部１０６は、データ処理仕様取得部１０１からデータ処理仕様を取得する。さらに、情報取得部１０６は、オーダ情報記憶装置２００へオーダ情報記憶装置２００が有しているオーダ情報の提供の要求を通知する。ここで、オーダ情報とは検査を行う際にどのような検査を誰に行うかを指定するための情報であり、具体的には患者情報や検査オーダ情報などを含む情報である。そして、情報取得部１０６は、オーダ情報記憶装置２００が備える情報供給部２０４からオーダ情報を取得する。情報取得部１０６は、医用情報端末００２が利用するサービスに対応する入力項目と取得したオーダ情報とを比較し、該入力項目のうちオーダ情報に記載されている入力項目に対応する項目の情報を取得する。ここで、項目の情報とはその項目の内容を表す情報を指している。そして、情報取得部１０６は、出力部１０７へ情報供給部２０４から取得した項目の情報を出力する。さらに、情報取得部１０６は、該入力項目のうちオーダ情報に対応する項目が記載されていない入力項目を抽出する。情報取得部１０６は、抽出した入力項目を表示制御部１０９へ出力する。この情報取得部１０６が本発明における「情報取得手段」にあたる。
【００２８】
この情報取得部１０６による検査オーダ情報の取得は具体的には以下のように行われる。図４は最初に情報取得部１０６が有している検査オーダ情報の検索条件を表す図である。図５は情報取得部１０６が取得した医用情報端末００２で実施されるサービスのデータ処理仕様の一例の図である。図６は変更後の検査オーダ情報の検索条件を表す表の図である。情報取得部１０６は、入力項目に該当する項目に対応する情報をオーダ情報記憶装置２００から取得するにあたってはオーダ情報記憶装置２００の記憶領域を検索して該情報を取得する。その時、情報取得部１０６は、検索条件を用いてオーダ情報記憶装置２００の検索をおこなう。そこで、情報取得部１０６は、検索要求条件情報として図４のような検査オーダ情報の検索を行う際の検索条件及び応答Ｋｅｙを定義した情報を有している。ここで、列４０１が検索条件として用いるか否かを決定する要素であり、チェックが付いている項目が検索条件として含んでいることを示している。ここで、列４０１ではＣｏｎｔｒａｓｔ  Ａｌｌｅｒｇｉｅｓ（アレルギーデータの利用）の行４０２にチェックが付いていないので、検索条件から外れている。そして、例えばデータ処理仕様として図５に示す項目を有するものが送られてきた場合、行５０１にＣｏｎｔｒａｓｔ  Ａｌｌｅｒｇｉｅｓが定義されている。そして、図４の検査データ情報の検索の定義にはＣｏｎｔｒａｓｔ  Ａｌｌｅｒｇｉｅｓの項目のチェックが外れており検索不要の状態になっている。そこで、情報取得部１０６は、図６に示すようにＣｏｎｔｒａｓｔ  Ａｌｌｅｒｇｉｅｓの行６０１の検索条件の項目にチェックをつけてＣｏｎｔｒａｓｔ  Ａｌｌｅｒｇｉｅｓを検索項目として追加する。この変更した検索条件を基に検査オーダ情報を検索することで、情報取得部１０６は入力項目に該当する項目のデータが検査オーダ情報に存在する場合にその項目及びその項目に対応する情報を取得することができる。
【００２９】
表示制御部１０９は、フォーマット記憶部１１０及び入力画面表示部１１１を備えている。この表示制御部１０９が本発明における「表示制御手段」にあたる。また、フォーマット記憶部１１０が本発明における「フォーマット記憶手段」にあたり、入力画面表示部が本発明における「入力画面表示手段」にあたる。
【００３０】
フォーマット記憶部１１０は、ハードディスクやメモリなどの記録媒体で構成されている。フォーマット記憶部１１０には、操作者から入力項目に対応する情報の入力を受け付けるための入力画面のフォーマットが記憶されている。ここで、入力画面のフォーマットはすべての入力項目に対応する入力欄を設けた画面でもよいし、最初は検査に通常必要な入力項目のみを有する入力画面のフォーマットを有している画面でもよい。すべての入力項目に対応する入力欄作成することは煩雑であるため、本実施形態では検査に通常必要とされる入力項目のみを有する入力画面のフォーマットを記憶しておき、実際の入力画面を表示するときにそのフォーマットに入力欄が設けられていない項目を追加する構成である。
【００３１】
入力画面表示部１１１は、情報取得部１０６からオーダ情報に対応する項目の記載がない入力項目の入力を受ける。さらに、入力画面表示部１１１はフォーマット記憶部１１０から入力画面のフォーマットを取得する。入力画面表示部１１１は、入力画面のフォーマットのうち入力された入力項目に対応する入力欄を抽出し、該抽出した入力欄を入力必須の項目に設定する。この入力欄とは項目内容を入力するための欄である。また、入力項目に対応する入力欄が設けられていない場合には、入力画面表示部１１１は入力画面のフォーマットに新たに対応する入力欄を追加する。例えば、最初の検査に通常必要とされる入力項目が図７（Ａ）の表に記載された項目とする。そして、入力を受けた入力項目が「Ｆｉｒｓｔ  ｎａｍｅ」「Ｌａｓｔ  ｎａｍｅ」「Ｐａｔｉｅｎｔ  ＩＤ」「Ｙｅａｒ」「Ｍｏｎｔｈ」「Ｄａｙ」Ｐａｔｉｅｎｔ’ｓ  ｓｅｘ」であった場合、図７（Ｂ）に示すように項目７０１及び項目７０２が追加されフォーマットの項目が変更される。さらに、図７（Ｂ）で必須とされている項目が入力必須項目となる。本実施形態では、オプションが必須に変わってはいないが、条件がオプションだったものが必須になる場合には、図７（Ｂ）に示されている表の条件がオプションから必須に変更される。入力画面表示部１１１は、入力欄を必須にした入力画面を表示部１１３に表示させる。操作者は、ユーザインタフェース１１２の表示部１１３に表示された入力画面を参照し、入力部１１４を用いて入力項目に対応した入力欄への項目内容の入力を行う。ここで、図７（Ａ）は最初に記憶されている入力画面のフォーマットに含まれる項目を示す図である。図７（Ｂ）は実際に操作者に入力を要求する入力画面に含まれる項目を示す図である。
【００３２】
表示制御部１０９は、入力画面に表示された必須項目への項目内容の入力がなされた後、入力部１１４から入力された項目内容を出力部１０７へ出力する。
【００３３】
画像データ管理部１０８は、ハードディスクなどの記憶媒体で構成されている。画像データ管理部１０８は、医用画像及び該医用画像に関連する患者情報や検査情報を含む付帯情報を含む画像データを記憶している。この画像データ管理部１０８が本発明における「画像データ管理手段」にあたる。
【００３４】
出力部１０７は、入力項目のうちオーダ情報に該当する項目が存在する項目について情報取得部１０６からその項目に対応する情報の入力を受ける。また、出力部１０７は、入力項目のうちオーダ情報に該当する項目が存在しない項目について表示制御部１０９からその項目に対応する項目内容の入力を受ける。出力部１０７は、医用情報端末００２から要求された画像データを画像データ管理部１０８から取得する。出力部１０７は、取得した画像データとともに、入力項目に該当する項目に対応する情報及び項目内容を医用情報端末００２へ出力する。この出力部１０７が本発明における「出力手段」にあたる。
【００３５】
オーダ情報記憶装置２００は、図１に示すように、検査オーダ入力画面表示制御部２０２、オーダ情報記憶部２０３、ユーザインタフェース２０５、及び情報供給部２０４を有している。
【００３６】
検査オーダ入力画面表示制御部２０２は、検査オーダの入力開始の命令を受けて、予め記憶している検査オーダ入力画面のフォーマットを基に表示部２０６に検査オーダ入力画面を表示させる。操作者は、ユーザインタフェース２０５に設けられた表示部２０６に表示させる検査オーダ入力画面を参照して、入力部２０７を用いて検査オーダに必要な情報（例えば、患者識別情報や検査部位など）を入力する。この検査オーダ入力画面表示制御部２０２は本発明における「検査オーダ入力画面表示制御手段」にあたる。
【００３７】
オーダ情報記憶部２０３は、ハードディスクやメモリなどの記録媒体を備えている。オーダ情報記憶部２０３は、入力されたオーダ情報を項目ごとに記憶しておく。このオーダ情報記憶部２０３は本発明における「オーダ情報記憶手段」にあたる。ただし、オーダ情報記憶部２０３を含むオーダ情報記憶装置２００全体が本発明における「オーダ情報記憶手段」にあたる場合がある。
【００３８】
情報供給部２０４は、情報取得部１０６から特定のオーダ情報の提供の要求を受け取り、そのオーダ情報の識別情報を基にオーダ情報記憶部２０３を検索し対応するオーダ情報に含まれる項目及び該項目に対応する情報を取得する。情報供給部２０４は、取得したオーダ情報に含まれる項目及び該項目に対応する情報を情報取得部１０６へ出力する。この情報供給部２０４は本発明における「情報供給手段」にあたる。
【００３９】
なお、図１において一点鎖線で囲まれたブロックである項目通知部１１５及び項目取得部２０１については、第３の実施形態の説明部分で説明する。
【００４０】
次に図８を参照して、本実施形態に係る医用通信管理装置による医用情報端末への画像データの出力の流れを説明する。図８は本実施形態に係る医用通信管理装置による医用情報端末への画像データの出力のフローチャートの図である。
【００４１】
ステップＳ００１：医用画像診断装置１００は、医用情報端末００２から、画像データの送信要求を医用情報端末００２の識別情報とともに受け付ける。
【００４２】
ステップＳ００２：サービス選択部１０２は、医用情報端末００２の識別情報を基にサービス記憶部１０３に記憶されているサービス識別情報を参照し、医用情報端末００２が実施するサービスの種類を取得する。サービス選択部１０２は取得したサービスの種類をデータ処理仕様取得部１０１へ出力する。
【００４３】
ステップＳ００３：データ処理仕様取得部１０１は、医用情報端末００２から医用情報端末００２が実施するサービスのデータ処理仕様を取得する。データ処理仕様取得部１０１は、取得したデータ処理仕様を入力項目識別部１０４へ出力する。
【００４４】
ステップＳ００４：入力項目識別部１０４は、データ処理仕様取得部１０１から入力されたデータ処理仕様を基に項目対応情報記憶部１０５に記憶されているデータ入力項目対応情報を参照し、対応する入力項目を取得する。入力項目識別部１０４は、取得した入力項目を情報取得部１０６へ出力する。
【００４５】
ステップＳ００５：情報取得部１０６は、取得した入力項目を基に検索条件を生成し、該検索条件及び医用情報端末００２から取得した画像データの識別情報に基づいてオーダ情報記憶装置２００へ検索命令を送信する。情報取得部１０６は、検索命令を基に検索され抽出された検査オーダ情報を情報供給部２０４から取得する。
【００４６】
ステップＳ００６：情報取得部１０６は、入力項目識別部１０４から入力された入力項目毎に取得した検査オーダ情報とを比較し、該入力項目に該当する項目が検査オーダ情報に存在するか否かを判断する。入力項目に該当する項目が検査オーダ情報に存在する場合はステップＳ００７に進む。入力項目に該当する項目が検査オーダ情報に存在しない場合にはステップＳ００８に進む。
【００４７】
ステップＳ００７：情報取得部１０６は、検査オーダ情報から入力項目に該当する項目に対応する情報を取得し、出力部１０７へ出力する。
【００４８】
ステップＳ００８：情報取得部１０６は、検査オーダ情報に該当する項目がない入力項目を情報を表示制御部１０９へ出力する。
【００４９】
ステップＳ００９：表示制御部１０９は、フォーマット記憶部１１０に記憶されている入力画面のフォーマットを読み出し、検査オーダ情報に該当する項目がない入力項目を必須の項目とし、さらに入力画面のフォーマットに入力項目に対応する項目がない場合には該入力項目の入力欄を必須の項目として加え、表示部１１３へ該入力画面を表示させる。
【００５０】
ステップＳ０１０：操作者は、ユーザインタフェース１１２を用いて必須の項目への入力を行う。
【００５１】
ステップＳ０１１：表示制御部１０９は、入力された情報を出力部１０７へ出力する。
【００５２】
ステップＳ０１２：出力部１０７は、医用情報端末００２から要求された画像データを画像データ管理部１０８から取得する。そして、出力部１０７は、情報取得部１０６から入力された情報及び表示制御部１０９から入力された情報とともに画像データを医用情報端末００２へ出力する。
【００５３】
以上で説明したように、本実施形態に係る医用通信設定装置及び医用通信設定システムでは、医用情報端末が処理を行うために必要な情報を取得し、その情報と共に画像データを医用情報端末へ出力することができる構成である。これにより、医用情報端末は、画像データを処理するために必要な情報を確実に取得することが可能となり、医用情報端末においてデータ不足による画像データの処理の障害の発生を軽減することが可能となる。
【００５４】
〔第２の実施形態〕
以下、この発明の第２の実施形態に係る医用通信管理装置、及び該医用通信管理システムを構成する医用通信管理装置について説明する。本実施形態に係る医用通信管理装置はオーダ情報記憶部からオーダ情報を取得しないことが第１の実施形態と異なるものである。本実施形態に係る医用通信管理装置は、図１に示される機能ブロック図からオーダ情報記憶装置を抜いたものである。そこで、以下では、入力項目に対応する項目の情報の取得について主に説明する。以下の説明において同一の符号を有する機能部は、特に説明のない限り第１の実施形態に係る機能部と同様の機能を有しているものとする。
【００５５】
情報取得部１０６は、入力項目識別部１０４から医用情報端末００２で実施されるサービスに必要な入力項目の入力を受ける。情報取得部１０６は、オーダ情報記憶装置２００へオーダ情報の要求を行うことなく、入力項目識別部１０４から受けたすべての入力項目を表示制御部１０９へ出力する。
【００５６】
本実施形態では情報取得部１０６が表示制御部１０９へ入力項目の情報を送信しているが、情報取得部１０６を介さずに入力項目識別部１０４から直接表示制御部１０９へ入力項目を通知する構成でもよい。
【００５７】
以上で説明したように、本実施形態に係る医用通信設定装置は通信相手となる医用情報端末が実施するサービスで利用されるデータに対応する入力項目をいずれも操作者から入力を受ける構成である。これにより、本実施形態に係る医用通信設定装置では、ＲＩＳなどのオーダ情報記憶装置が設けられていないシステム構成においても動作することが可能となる。また、すべての入力項目の情報の入力を操作者から受けることで、システム構成を単純にすることが可能となる。
【００５８】
〔第３の実施形態〕
以下、この発明の第３の実施形態に係る医用通信管理装置、及び該医用通信管理システムを構成する医用通信管理装置について説明する。本実施形態に係る医用通信管理装置は入力項目に該当する項目が検査オーダ情報に存在しない項目を検査オーダ入力画面に自動的に追加する構成であることが第１の実施形態と異なるものである。本実施形態に係る医用通信管理装置は、図１に示される機能ブロック図において一点鎖線で表示される機能部を追加した構成である。そこで、以下では、検査オーダ入力画面への入力項目の追加について主に説明する。以下の説明において同一の符号を有する機能部は、特に説明のない限り第１の実施形態に係る機能部と同様の機能を有しているものとする。
【００５９】
情報取得部１０６は、入力項目識別部１０４から医用情報端末００２で実施されるサービスに必要な入力項目を受ける。情報取得部１０６は、情報供給部２０４から検査オーダ情報の供給を受ける。情報取得部１０６は、取得した検査オーダ情報と入力項目識別部１０４から入力された入力項目とを比較する。情報取得部１０６は、入力項目に該当する項目が検査オーダ情報に存在する場合、その項目に対応する情報を取得し出力部１０７へ出力する。情報取得部１０６は、入力項目に該当する項目が検査オーダ情報に存在しない場合、その入力項目を表示制御部１０９へ出力するとともに、項目通知部１１５へ出力する。
【００６０】
項目通知部１１５は、情報取得部１０６から該当する項目が検査オーダ情報に存在しない入力項目の情報の入力を受ける。項目通知部１１５は、後述する項目取得部２０１からの検査オーダ情報に登録する項目の通知要求を受けて、予め記憶している検査オーダ情報に登録する項目に加えて、入力された入力項目をオーダ情報記憶装置２００の項目取得部２０１へ出力する。この項目通知部１１５は本発明における「項目通知手段」にあたる。ここで、本実施形態では、項目通知部１１５は、項目取得部２０１からの要求を受けて検査オーダ情報に登録する項目の通知を行っているが、この項目通知のタイミングは他の方法でもよく、例えば、項目通知部１１５に、情報取得部１０６から入力項目の入力が行われたタイミングで項目取得部２０１へ登録する項目の通知を行ってもよい。
【００６１】
項目取得部２０１は、定期的に項目通知部１１５に検査オーダ情報に登録する項目の通知要求を送信する。項目取得部２０１は、項目通知部１１５から検査オーダ情報に該当する項目が存在しない入力項目を加えた検査オーダ情報の登録の入力を受ける。項目取得部２０１は、入力された入力項目の入力欄を検査オーダ入力画面表示制御部２０２が記憶している検査オーダの入力画面のフォーマットに追加する。この項目取得部２０１が本発明における「項目取得手段」にあたる。
【００６２】
検査オーダ入力画面表示制御部２０２は、新規に入力項目の入力欄が追加された入力画面のフォーマットを基に、表示部２０６に検査オーダの入力画面を表示させる。
【００６３】
以上で説明したように、本実施形態に係る医用通信管理装置では、検査オーダに該当する項目が存在しない入力項目を医用情報端末から要求された場合、その要求された入力項目を検査オーダの入力画面に追加して表示することができる構成である。これにより、本実施形態に係る医用通信管理装置では、医用情報端末から一度要求された入力項目に対応する項目を検査オーダ情報に自動的に追加することができ、検査オーダ情報に必要な項目が存在する確率を向上させることができるため、操作者による入力項目に対応する情報の入力を削減することができ、操作者の情報入力の負荷の軽減とともに、画像データの通信の効率化を図ることが可能となる。
【符号の説明】
【００６４】
００１  医用通信管理装置
００２  医用情報端末
１００  医用画像診断装置
１０１  データ処理仕様取得部
１０２  サービス選択部
１０３  サービス記憶部
１０４  入力項目識別部
１０５  項目対応情報記憶部
１０６  情報取得部
１０７  出力部
１０８  画像データ管理部
１０９  表示制御部
１１０  フォーマット記憶部
１１１  入力画面表示部
１１２  ユーザインタフェース
１１３  表示部
１１４  入力部
１１５  項目通知部
２００  オーダ情報記憶装置（オーダ情報記憶部）
２０１  項目取得部
２０２  検査オーダ入力画面表示制御部
２０３  オーダ情報記憶部
２０４  情報供給部
２０５  ユーザインタフェース
２０６  表示部
２０７  入力部
【図１】
2010178987.tif 000003
【図２】
2010178987.tif 000004
【図３】
2010178987.tif 000005
【図４】
2010178987.tif 000006
【図５】
2010178987.tif 000007
【図６】
2010178987.tif 000008
【図７】
2010178987.tif 000009
【図８】
2010178987.tif 000010